(57)【要約】【課題】建物の構造躯体である柱梁の外側に断熱材が設けられる構造の建物において作業性に優れた防湿施工を行うことができる建物の防湿構造を提供する。【解決手段】胴差部１Ｂの梁材３のフランジ３ａの上側に設けられた断熱材１２と、上記断熱材１２に設けられた防湿シート１２ａによって形成された上記梁材３の上方に立ち上がる梁上防湿面Ｃと、屋内壁７に設けられた壁面防湿シート７ａによって形成された壁防湿面Ｂと、上記屋内壁７ａと上記梁材３上の床８の部分との間で上記梁上防湿面Ｃと上記壁防湿面Ｂとを繋ぐ壁下床防湿面Ｄと、を有する。【選択図】図２
2015010448.tif 000002
【特許請求の範囲】
【請求項１】
建物の構造躯体である柱梁の外側に断熱材が設けられる構造を有し、
梁材の上側に設けられた柔軟性材と、
上記柔軟性材に設けられた防湿シートによって形成された上記梁材の上方に立ち上がる梁上防湿面と、
屋内壁に設けられた壁面防湿シートによって形成された壁防湿面と、
上記屋内壁と上記梁材上の床の部分との間で上記梁上防湿面と上記壁防湿面とを繋ぐ壁下床防湿面と、を有することを特徴とする建物の防湿構造。
【請求項２】
請求項１に記載の建物の防湿構造において、上記梁上防湿面が上記床の縁面に沿って位置していることを特徴とする建物の防湿構造。
【請求項３】
請求項１または請求項２に記載の建物の防湿構造において、上記壁下床防湿面が上記屋内壁の鋼製枠材により形成されていることを特徴とする建物の防湿構造。
【請求項４】
請求項１または請求項２に記載の建物の防湿構造において、上記壁下床防湿面が上記防湿シートによって形成されていることを特徴とする建物の防湿構造。
【請求項５】
建物の構造躯体である柱梁の外側に断熱材が設けられる構造を有し、
梁材の下側に設けられた柔軟性材と、
上記柔軟性材に設けられた防湿シートによって形成された上記梁材の下方に下がる梁下防湿面と、
屋内壁に設けられた壁面防湿シートによって形成された壁防湿面と、
上記屋内壁と上記梁材下の天井の部分との間で上記梁下防湿面と上記壁防湿面とを繋ぐ壁上天井防湿面と、を有することを特徴とする建物の防湿構造。
【請求項６】
請求項５に記載の建物の防湿構造において、上記梁下防湿面が上記天井の縁面に沿って位置していることを特徴とする建物の防湿構造。
【請求項７】
請求項５または請求項６に記載の建物の防湿構造において、上記壁上天井防湿面が上記屋内壁の鋼製枠材により形成されていることを特徴とする建物の防湿構造。
【請求項８】
請求項５または請求項６に記載の建物の防湿構造において、上記壁上天井防湿面が上記防湿シートによって形成されていることを特徴とする建物の防湿構造。
【発明の詳細な説明】
【技術分野】
【０００１】
この発明は、建物の構造躯体である柱梁の外側に断熱材が設けられる構造の建物の防湿構造に関する。
【背景技術】
【０００２】
図４は、建物の構造躯体である柱梁の外側に断熱材が設けられない建物２０１の防湿構造を示している。建物２０１は、屋根部２０１Ａと胴差部２０１Ｂと基礎部２０１Ｃとを有しており、外壁パネル２０４は構造躯体である梁材２０３上に裏面側の一部を位置させて取り付けられる。
【０００３】
上記屋根部２０１Ａにおいては、図５（Ａ）に示すように、上記外壁パネル２０４の裏面断熱材に設けられている防湿シート２０４ａによって防湿面が形成される（太点線参照）。また、天井２０６に設けられた防湿シート２０６ａによって防湿面が形成される（太点線参照）。上記防湿シート２０４ａと上記防湿シート２０６ａとは壁面の上部箇所で重なるように設けられる。
【０００４】
また、上記胴差部２０１Ｂにおいては、図５（Ｂ）に示すように、梁材３のウェブによって防湿面が形成される（太点線参照）。また、上記梁材３の上側と下側には上記外壁パネル２０４の裏面断熱材に設けられている防湿シート２０４ａによって防湿面が形成される（太点線参照）。
【０００５】
なお、特許文献１には、断熱マットの周囲の耳部が防湿シート押え縁により柱等の軸部材に固定されて静止空気層となる構造が開示されている。
【先行技術文献】
【特許文献】
【０００６】
【特許文献１】特開２００８−１２７８５４号公報
【発明の概要】
【発明が解決しようとする課題】
【０００７】
しかしながら、上記建物２０１の防湿構造を外張断熱工法や外断熱工法の建物に用いようとする場合において、上記外壁パネル２０４の裏面断熱材に設けられている防湿シート２０４ａで防湿面を形成しようとすると、特に柱の箇所において、上記防湿シート２０４ａの縁から別の防湿シートを上記柱を巻き込むように大きく配置する必要があり、作業性が低下する。上記特許文献１の技術を用いたとしても、外張断熱による建物に適切に対応することはできない。
【０００８】
この発明は、上記の事情に鑑み、建物の構造躯体である柱梁の外側に断熱材が設けられる建物において作業性に優れた防湿施工を行うことができる建物の防湿構造を提供することを課題とする。
【課題を解決するための手段】
【０００９】
この発明の建物の防湿構造は、上記の課題を解決するために、建物の構造躯体である柱梁の外側に断熱材が設けられる構造を有し、梁材の上側に設けられた柔軟性材と、上記柔軟性材に設けられた防湿シートによって形成された上記梁材の上方に立ち上がる梁上防湿面と、屋内壁に設けられた壁面防湿シートによって形成された壁防湿面と、上記屋内壁と上記梁材上の床の部分との間で上記梁上防湿面と上記壁防湿面とを繋ぐ壁下床防湿面と、を有することを特徴とする。
【００１０】
上記の構成であれば、外壁パネルの裏面に防湿シートを設けることなしに建物の防湿が可能となる。そして、建物の構造躯体である柱梁の外側に断熱材が設けられる構造の建物において柱を大きく巻き込むように防湿シートを配置する必要がなくなり、外張断熱工法の建物において作業性に優れた防湿施工を行うことができる。さらに、外壁パネルの裏面に設けられている防湿シートを用いた防湿に比べ、上記梁上防湿面と上記壁防湿面と上記壁下床防湿面とによる防湿は、室内の湿気が上記柱に行きにくくなる利点がある。
【００１１】
上記梁上防湿面が上記床の縁面に沿って位置してもよい。また、上記壁下床防湿面が上記屋内壁の鋼製枠材により形成されていてもよい。或いは、上記壁下床防湿面が上記防湿シートによって形成されていてもよい。
【００１２】
また、この発明の建物の防湿構造は、建物の構造躯体である柱梁の外側に断熱材が設けられる構造を有し、梁材の下側に設けられた柔軟性材と、上記柔軟性材に設けられた防湿シートによって形成された上記梁材の下方に下がる梁下防湿面と、屋内壁に設けられた壁面防湿シートによって形成された壁防湿面と、上記屋内壁と上記梁材下の天井の部分との間で上記梁下防湿面と上記壁防湿面とを繋ぐ壁上天井防湿面と、を有することを特徴とする。
【００１３】
上記の構成であれば、外壁パネルの裏面に防湿シートを設けることなしに建物の防湿が可能となる。そして、建物の構造躯体である柱梁の外側に断熱材が設けられる構造の建物において柱を大きく巻き込むように防湿シートを配置する必要がなくなり、外張断熱や外断熱の建物において作業性に優れた防湿施工を行うことができる。さらに、外壁パネルの裏面に設けられている防湿シートを用いた防湿に比べ、上記梁下防湿面と上記壁防湿面と上記壁上天井防湿面とによる防湿は、室内の湿気が上記柱に行きにくくなる利点がある。
【００１４】
上記梁下防湿面が上記天井の縁面に沿って位置してもよい。また、上記壁上天井防湿面が上記屋内壁の鋼製枠材により形成されていてもよい。或いは、上記壁上天井防湿面が上記防湿シートによって形成されていてもよい。
【発明の効果】
【００１５】
本発明であれば、建物の構造躯体である柱梁の外側に断熱材が設けられる構造の建物において作業性に優れた防湿施工を行うことができるという効果を奏する。
【図面の簡単な説明】
【００１６】
【図１】本発明の実施形態を示した建物の説明図である。
【図２】同図（Ａ）は図１の屋根部の拡大図であり、同図（Ｂ）は図１の胴差部の拡大図である。
【図３】図１の胴差部の梁材下の構造を示した斜視図である。
【図４】従来の防湿構造を有する建物を示した説明図である。
【図５】同図（Ａ）は図４の建物の屋根部の拡大図であり、同図（Ｂ）は図４の胴差部の拡大図である。
【発明を実施するための形態】
【００１７】
以下、この発明の実施の形態を添付図面に基づいて説明する。
図１に概略的に示しているように、建物１は、屋根部１Ａと胴差部１Ｂと基礎部１Ｃとを有している。上記建物１はカーテンウォール工法により建築されており、当該建物１の構造躯体である梁材（例えばＨ型鋼梁）３よりも外側に位置するように、断熱材付きの外壁パネル４が取り付けられた外張断熱（または外断熱）構造を有している。この実施形態では、上記外壁パネル４の裏面には防湿シートは設けられていない。なお、防湿シートは、例えばアルミ圧着フィルムなどからなる。
【００１８】
図２（Ａ）に拡大して示すように、上記屋根部１Ａに設けられている梁材３の下側のフランジ３ａの屋内側の箇所に部材係止具２が装着されている。そして、上記部材係止具２にランナー材５が固定されている。１つのランナー材５には上記部材係止具２が複数設けられている。上記ランナー材５には２階側の天井６および屋内壁７が固定されている。
【００１９】
上記天井６に設けられた天井防湿シート６ａによって天井防湿面Ａが形成されている（太点線参照）。また、上記屋内壁７の裏面に設けられた壁面防湿シート７ａによって壁防湿面Ｂが形成されている（太点線参照）。また、上記梁材３の下側のフランジ３ａの中心より外側の箇所であって上記外壁パネル４と上記屋内壁７との間に断熱材１１が設けられている。
【００２０】
図２（Ｂ）に拡大して示すように、上記胴差部１Ｂにおける梁材３の上側のフランジ３ａの屋内側の箇所には床パネル枠８ａが設けられ、この床パネル枠８ａ上に床８が構成されている。そして、上記梁材３の上側のフランジ３ａの中心より外側の箇所であって外壁パネル４と屋内壁７との間に断熱材（柔軟性材）１２が設けられている。
【００２１】
また、上記胴差部１Ｂにおける梁材３のフランジ３ａの上側において、上記断熱材１２に設けられた防湿シート１２ａによって上記梁材３の上方に立ち上がる梁上防湿面Ｃが形成されている（太点線参照）。上記梁上防湿面Ｃは上記床８の縁面に沿って接するように位置している。また、屋内壁７に設けられた壁面防湿シート７ａによって壁防湿面Ｂが形成されている。そして、上記屋内壁７と床８との間には上記梁上防湿面Ｃと上記壁防湿面Ｂとを繋ぐ壁下床防湿面Ｄが形成されている。上記壁下床防湿面Ｄは上記屋内壁７の鋼製枠材７２により形成されていてもよい。或いは、上記防湿シート１２ａが上記断熱材１２の上下寸法を越える余剰部（耳部）を有し、上記余剰部を上記屋内壁７と床８との間に位置させることで上記壁下床防湿面Ｄが上記防湿シート１２ａによって形成されるようにしてもよい。なお、上記梁材３のウェブ上の太点線は当該ウェブによる防湿面を表している。
【００２２】
また、上記胴差部１Ｂにおける梁材３のフランジ３ａの下側において、断熱材（柔軟性材）１３に設けられた防湿シート１３ａによって上記梁材３の下方に下がる梁下防湿面Ｅが形成されている（太点線参照）。上記梁下防湿面Ｅは上記天井６の縁面に沿って接するように位置している。また、屋内壁７に設けられた壁面防湿シート７ａによって壁防湿面Ｂが形成されている。そして、上記屋内壁７と天井６との間には上記梁下防湿面Ｅと上記壁防湿面Ｂとを繋ぐ壁上天井防湿面Ｆが形成されている。上記壁上天井防湿面Ｆは上記屋内壁７の鋼製枠材７２により形成されていてもよい。或いは、上記防湿シート１３ａが上記断熱材１３の上下寸法を越える余剰部（耳部）を有し、上記余剰部を上記屋内壁７と天井６との間に位置させることで上記壁上天井防湿面Ｆが上記防湿シート１３ａによって形成されるようにしてもよい。
【００２３】
上記胴差部１Ｂにおける梁材３のフランジ３ａの下側の屋内側箇所には上記部材係止具２が装着されている。そして、上記部材係止具２に上記ランナー材５が固定されている。上記ランナー材５には１階側の天井６および屋内壁７が固定されている。
【００２４】
図３に示すように、上記部材係止具２は、上記梁材３の下側のフランジ３ａに係止される係止部２１と、上記係止部２１の下方に空間を形成して水平に位置する部材固定面部２２と、上記係止部２１と上記部材固定面部２２とを繋ぐ空間形成立面部２３とが１枚の金属板を折り曲げて形成されているものである。
【００２５】
上記係止部２１は上側に位置する押圧部２１ａと下側に位置する受け部２１ｂとこれらを繋ぐ繋ぎ部２１ｃとを有する。上記繋ぎ部２１ｃの高さは、対応可能な複数種ある梁材３における最も厚いフランジ３ａを挟み込める高さになっている。
【００２６】
また、上記押圧部２１ａの先端側は上記繋ぎ部２１ｃの高さよりも低くされるとともに、最先端部は上記フランジ３ａの差し込み作業の容易化のために上向きに曲げられている。この上向きに曲げられる最下端位置が当該押圧部２１ａの押圧箇所となる。さらに、上記押圧部２１ａには、部分的に切断され折り曲げられてなる舌状押圧片２１ｄが形成されており、上記舌状押圧片２１ｄの押圧箇所は上記押圧部２１ａの押圧箇所と上記繋ぎ部２１ｃとの間に位置する。また、上記押圧部２１ａの押圧箇所と上記舌状押圧片２１ｄの押圧箇所との間の位置に当該舌状押圧片２１ｄの基部が位置する。
【００２７】
また、上記空間形成立面部２３の下部には、上記部材固定面部２２が部分的に切断され折り曲げられてなる部材位置決め部２３ａが形成されている。そして、上記受け部２１ｂと上記空間形成立面部２３と上記部材固定面部２２の縁側には当該縁が直角に折り曲げられてコ字状に繋がる補強折り曲げ部２４が形成されており、１枚の金属板を折り曲げたものでありながら上記部材係止具２において十分な部材支持力を持つことができている。
【００２８】
上記部材係止具２における上記部材固定面部２２の下面に上記ランナー材５が配置され、上記ランナー材５の下面側から打ち込まれて上記部材固定面部２２を貫通し、先端が上記部材固定面部２２の上側の空間に突出しているビス５１にて上記ランナー材５が上記部材固定面部２２に固定されており、このような組み立て状態のものを梁下取付部材２０としている。すなわち、この梁下取付部材２０は、上記ランナー材５に複数の部材係止具２が間隔をおいて固定されたものであり、工場で組み立てられて現場に搬送される。現場では、上記係止部２１の差し込み口側を上記フランジ３ａの縁に当てて押し込むことで、上記梁下取付部材２０が上記フランジ３ａに固定されることになり、上記ランナー材５の配置状態が一気に構築される。
【００２９】
そして、上記ランナー材５の屋内側の立面には天井６の枠部６１が釘６２等によって固定される。上記枠部６１には２枚の天井ボード６３が釘等によって固定される。この天井構造では、天井裏面から上記部材係止具２の間の隙間を通じて上記ランナー材５の外側面に至る空間が形成される。
【００３０】
また、上記ランナー材５の下面には屋内壁７におけるスペーサ７１が釘等によって固定されており、このスペーサ７１の下面には鋼製枠材７２が固定されている。そして、上記鋼製枠材７２には図示しないスタッドが配置され、また内壁ボードが固定される。
【００３１】
また、上述のごとく、上記複数の部材係止具２は間隔をおいて配置され、上記ランナー材５と上記フランジ３ａとの間には空間が形成される。この空間を通して天井裏に電気配線１０２および図示しない配管等が配置されている。上記配線等は天井裏から上記断熱材１３の防湿シート１３ａと上記ランナー材５との間に導かれる。
【００３２】
また、上記防湿シート１３ａの上部側の余剰部については上記フランジ３ａの下面側に位置させて接着テープで仮止めしておく。この状態で上記部材係止具２を上記フランジ３ａに装着すると、上記部材係止具２の受け部２１ｂと上記フランジ３ａの下面との間に上部側の余剰部が挟み込まれ、上記断熱材１３の保持がなされる。なお、下部側の余剰部については単に下方に垂れ下げておくことができる。
【００３３】
このように、上記の防湿構造では、上記外壁パネル４の裏面に防湿シートを設けることなしに建物の防湿が可能となる。そして、建物の構造躯体である柱梁の外側に断熱材が設けられる構造の建物において柱を大きく巻き込むように防湿シートを配置する必要がなくなり、外張断熱や外断熱構造の建物において作業性に優れた防湿施工を行うことができる。さらに、外壁パネル４の裏面に設けられている防湿シートを用いた防湿に比べ、上記壁防湿面Ｂと上記梁上防湿面Ｃと上記壁下床防湿面Ｄと上記梁下防湿面Ｅと上記壁上天井防湿面Ｆとによる防湿は室内の湿気が上記柱に行きにくくなる利点がある。
【００３４】
なお、防湿面を形成する上記断熱材１２、１３に代えて、断熱性を有しない柔軟性材を用いることができる。この柔軟性材には、繊維材を袋に充填したもの、或いは繊維材を袋に充填せずに単にシート状にしたもの、或いはエアキャップなどの柔軟シートが含まれる。一方、上記断熱材１１については、屋根裏での断熱欠損を防止するように、断熱性を有するものが用いられる。また、上記断熱材１１、１２、１３として同じものを用いることで、低コスト化および配置ミスの軽減等が図れることになる。
【００３５】
また、上記の実施形態では、上記防湿シート１２ａによる梁上防湿面Ｃは、上記床８の縁面に沿って位置したが、上記外壁パネル４の裏面と上記断熱材１２との間に位置してもよい。この場合、上記壁下床防湿面Ｄは上記断熱材１２の上面に延長されるのが望ましい。また、上記防湿シート１３ａによる梁下防湿面Ｅは、上記天井６の縁面に沿って位置したが、上記外壁パネル４の裏面と上記断熱材１３との間に位置してもよい。この場合、上記壁上天井防湿面Ｆは上記断熱材１３の下面に延長されるのが望ましい。
【００３６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３７】
１      建物
２      部材係止具
２０    梁下取付部材
３      梁材
３ａ    フランジ
４      外壁パネル
５      ランナー材
６      天井
６ａ    天井防湿シート
７      屋内壁
７ａ    壁面防湿シート
８      床
１１    断熱材
１２    断熱材（柔軟性材）
１２ａ  防湿シート
１３    断熱材（柔軟性材）
１３ａ  防湿シート
Ａ      天井防湿面
Ｂ      壁防湿面
Ｃ      梁上防湿面
Ｄ      壁下床防湿面
Ｅ      梁下防湿面
Ｆ      壁上天井防湿面
【図１】
2015010448.tif 000003
【図２】
2015010448.tif 000004
【図３】
2015010448.tif 000005
【図４】
2015010448.tif 000006
【図５】
2015010448.tif 000007